(57)【要約】【課題】簡易に作製でき堅牢でバリのない品質のよい、上止め、下止めを備えた合成樹脂製の線条スライドファスナーを提供する。【解決手段】合成樹脂製のコイル状またはジグザグ状の線条ファスナーエレメント列３をファスナーテープ４の一側縁に装着し、ファスナーエレメント列３の末端側の複数個のファスナーエレメント３に棒状体６を噛合頭部１０の裏側の噛合空間部１３に挿入して付け合わせ、または湾曲状の板状体７を噛合頭部１０、脚部１１、連結部１２の表面を包囲し被覆する形で付け合わせた後に、超音波溶接加工によってファスナーエレメント３に溶着して、上止め１５または下止め１６の止部１４を形成し、ファスナーエレメント３の表面にバリが生じない体裁のよい止部を形成する。【選択図】　図１
2004016689.tif 000002
【特許請求の範囲】
【請求項１】
合成樹脂製の線条ファスナーエレメント列３をファスナーテープ４の一側縁に装着し、ファスナーエレメント列３の末端側に位置する複数個のファスナーエレメント３にわたって合成樹脂片５を付け合わせた後に溶着し、スライダー用の止部１４を形成してなることを特徴とするスライドファスナーの止部。
【請求項２】
合成樹脂片５は棒状体６から形成してなる請求項１記載のスライドファスナーの止部。
【請求項３】
合成樹脂片５は湾曲状の板状体７から形成してなる請求項１記載のスライドファスナーの止部。
【請求項４】
棒状体６を線条ファスナーエレメント列３における噛合頭部１０の裏側に位置する噛合空間部１３に挿入し溶着してなる請求項１または２記載のスライドファスナーの止部。
【請求項５】
棒状体６を線条ファスナーエレメント列３の噛合頭部１０とともに、表裏方向から圧潰して溶着してなる請求項４記載のスライドファスナーの止部。
【請求項６】
板状体７を線条ファスナーエレメント列３における噛合頭部１０、脚部１１、連結部１２の表面を被覆し溶着してなる請求項１または３記載のスライドファスナーの止部。
【請求項７】
棒状体６を隔離状態の線条ファスナーエレメント列３の内部に配し、溶着して上止め１５を形成してなる請求項１、２または４記載のスライドファスナーの止部。
【請求項８】
板状体７を隔離状態の線条ファスナーエレメント列３の表面に配し、溶着して上止め１５を形成してなる請求項１、３または６記載のスライドファスナーの止部。
【請求項９】
棒状体６を噛合状態の線条ファスナーエレメント列３の内部に配し、溶着して下止め１６を形成してなる請求項１、２または４記載のスライドファスナーの止部。
【請求項１０】
板状体７を噛合状態の線条ファスナーエレメント列３の表面に配し、溶着して下止め１６を形成してなる請求項１、３または６記載のスライドファスナーの止部。
【請求項１１】
ファスナーチェン１の表面側Ａのファスナーテープ４上にインクジェットによる模様２０を現出し、または／および止水加工を施し、ファスナーテープ４の一側縁に合成樹脂製の線条ファスナーエレメント列３を装着し、ファスナーエレメント列３の末端側に位置する複数個のファスナーエレメント３にわたって合成樹脂片５を付け合わせた後に溶着して止部１４を形成した請求項１記載の止部を具備してなるスライドファスナー。
【発明の詳細な説明】
【０００１】
【発明の属する技術分野】
この発明は、合成樹脂製のコイルタイプ、ジグザグタイプの線条ファスナーエレメントをファスナーテープの一側縁に取り付けたスライドファスナーおよび隠しスライドファスナーの上止めまたは下止めの止部に関するものである。
【０００２】
【従来の技術】
従来、合成樹脂製のコイルタイプまたはジグザグタイプの線条スライドファスナーおよび隠しスライドファスナーにおける上止め、下止めの止部に関し、種々タイプの止部が提案されている。たとえば図２６に示すように線条ファスナーエレメント列の末端部における複数個のエレメントの頭部にわたり、それらのテープ寄りの裏面に断面円形状の合成樹脂片を溶着可能に形成し、合成樹脂片はエレメント列の末端に位置する端部を表面へ曲げて屈曲部を設け、屈曲部の端面がエレメントの表面よりも低く形成し、屈曲部をエレメント列末端のエレメント頭部の側面に形成された湾入した噛合面に溶着した止部が実公昭５６−５１７７３号公報に開示されている。
【０００３】
また、図２７に示すように合成樹脂製の線条ファスナーエレメント列のうち、複数個のエレメントの上側に合成樹脂製フィルム片を載置して溶着するとともに、エレメントの脚部を縫着している縫糸の上側のフィルム片を他の部分よりも肉厚に形成して凸条を設け、この凸条によって縫糸を保護し、凸条以外の部分はエレメントの裏面まで包み込んだ状態に付着させた止部が実公昭５９−２５２２１号公報に開示されている。
【０００４】
さらに、図２８に示すように合成樹脂製のコイルタイプまたはジグザグタイプの線条ファスナーエレメント列が噛合した状態における複数個のエレメント頭部の裏側に存在する空隙部に金属製の頭部付きピンを挿入して左右のエレメントを固定した止部が実公昭５１−４８２３号公報に開示されている。
【０００５】
【発明が解決しようとする課題】
前項で述べた図２６に示した止部は、合成樹脂片を超音波加工によって線条ファスナーエレメント列の頭部の下面に加圧して溶着するとともに、末端をエレメントの表面側へ屈曲してエレメント頭部の側面に溶着するものであり、合成樹脂片の溶着加工がきわめて面倒で安価に作製することができない。合成樹脂片はエレメントの表面に溶着させたものであるから、使用中に剥離するおそれがある。
【０００６】
また、図２７に示した止部は合成樹脂製フィルムを複数個の線条ファスナーエレメントの上面へ載置して止部の表面が凸字状を呈するように超音波加工するが、フィルムの端部にバリが生ずるおそれがあり、安全性に問題がある。さらに図２８に示した止部は、合成樹脂製の線条ファスナーエレメント列内へ金属製の頭部付きピンを単に挿入したものであり、固定が不安定であり使用中に無理な力が働くとピンが抜脱するおそれがあるなど問題がある。
【０００７】
この発明は、上述の問題点を考慮して発明されたものであり、請求項１記載の発明は、合成樹脂製の線条ファスナーエレメント列を装備した通常タイプまたは隠しタイプのスライドファスナーにおけるスライダーの抜脱防止用の上止め、下止めを線条ファスナーエレメントと合成樹脂片とを付け合わせた後に溶着し、堅牢で品質がよく安価に作製できるスライドファスナーの止部を提供することが主たる目的である。
【０００８】
請求項２および３記載の発明は、それぞれ請求項１記載の発明の目的に加え、止部を形成するための合成樹脂片の形態を特定することにより、それぞれ品質のよい上止め、下止めを簡易に作製できるスライドファスナーの止部を提供することが目的である。
【０００９】
請求項４記載の発明は、請求項１または２記載の発明の目的に加え、止部を形成するための合成樹脂片に棒状体を用い、効果的な配置によって有効な停止機能を果たすことができるスライドファスナーの止部を提供することが目的である。
【００１０】
請求項５記載の発明は、請求項４記載の発明の目的に加え、棒状体を線条ファスナーエレメントに的確に装着し、堅牢な止部に仕上げることができるスライドファスナーの止部を提供することが目的である。
【００１１】
請求項６記載の発明は、請求項１または３記載の発明の目的に加え、止部を形成するための合成樹脂片に板状体を用い、効果的な配置によって有効な停止機能を果たすことができるスライドファスナーの止部を提供することが目的である。
【００１２】
請求項７記載の発明は、請求項１、２または４記載の発明の目的に加え、線条ファスナーエレメント列に棒状体を理想的な形で配置し、簡単に上止めを作製できるスライドファスナーの止部を提供することが目的である。
【００１３】
請求項８記載の発明は、請求項１、３または６記載の発明の目的に加え、線条ファスナーエレメント列に板状体を理想的な形で配置し、簡単に上止めを作製できるスライドファスナーの止部を提供することが目的である。
【００１４】
請求項９記載の発明は、請求項１、２または４記載の発明の目的に加え、線条ファスナーエレメント列に棒状体を理想的な形で配置し、簡単に下止めを作製できるスライドファスナーの止部を提供することが目的である。
【００１５】
請求項１０記載の発明は、請求項１、３または６記載の発明の目的に加え、線条ファスナーエレメント列に板状体を理想的な形で配置し、簡単に下止めを作製できるスライドファスナーの止部を提供することが目的である。
【００１６】
請求項１１記載の発明は、通常タイプまたは隠しタイプのファスナーチェンにおけるファスナーテープに特殊な模様または加工を施したファスナーチェンに対し、請求項１記載の止部を具備したところのスライドファスナーを提供することが目的である。
【００１７】
【課題を解決するための手段】
前記の目的を達成するため、この発明のうち請求項１記載の発明は、合成樹脂製の線条ファスナーエレメント列３をファスナーテープ４の一側縁に装着して形成した通常タイプ、また隠しタイプのスライドファスナーにおいて、線条ファスナーエレメント列３の末端側に位置する複数個の線条ファスナーエレメント３にわたって合成樹脂片５を付け合わせた後に、超音波溶接加工などにより溶着し、スライダーの抜脱防止用の上止め１５、下止め１６の止部１４を形成したスライドファスナーの止部を主な構成とするものである。
【００１８】
請求項２記載の発明は、請求項１記載の発明の構成に加え、上止め１５、下止め１６の止部１４を形成するための合成樹脂片５は、棒状体６から形成したスライドファスナーの止部である。
【００１９】
請求項３記載の発明は、請求項１記載の発明の構成に加え、上止め１５、下止め１６の止部１４を形成するための合成樹脂片５は、湾曲状を呈する板状体７から形成したスライドファスナーの止部である。
【００２０】
請求項４記載の発明は、請求項１または２記載の発明の構成に加え、止部１４を形成するための棒状体６を線条ファスナーエレメント３における噛合頭部１０の裏側に位置する噛合空間部１３に挿入して付け合わせた後に、超音波溶接加工などにより溶着したスライドファスナーの止部である。
【００２１】
請求項５記載の発明は、請求項４記載の発明の構成に加え、止部１４を形成するための棒状体６を線条ファスナーエレメント列３内に配し、ファスナーエレメント３の噛合頭部１０とともに、表裏方向から圧潰して付け合わせた後に、超音波溶接加工などにより溶着したスライドファスナーの止部である。
【００２２】
請求項６記載の発明は、請求項１または３記載の発明の構成に加え、止部１４を形成するための板状体７を線条ファスナーエレメント３における噛合頭部１０、脚部１１、連結部１２の表面を被覆して付け合わせた後に、超音波溶接加工などにより溶着したスライドファスナーの止部である。
【００２３】
請求項７記載の発明は、請求項１、２または４記載の発明の構成に加え、止部１４を形成するための棒状体６を隔離状態にある線条ファスナーエレメント列３の内部に配して付け合わせた後に、超音波溶接加工などにより溶着してスライドファスナーの上止め１５を形成したスライドファスナーの止部である。
【００２４】
請求項８記載の発明は、請求項１、３または６記載の発明の構成に加え、止部１４を形成するための板状体７を隔離状態にある線条ファスナーエレメント列３の表面に配して付け合わせた後に、超音波溶接加工などにより溶着してスライドファスナーの上止め１５を形成したスライドファスナーの止部である。
【００２５】
請求項９記載の発明は、請求項１、２または４記載の発明の構成に加え、止部１４を形成するための棒状体６を噛合状態にある線条ファスナーエレメント列３の内部に配して付け合わせた後に、超音波溶接加工などにより溶着してスライドファスナーの下止め１６を形成したスライドファスナーの止部である。
【００２６】
請求項１０記載の発明は、請求項１、３または６記載の発明の構成に加え、止部１４を形成するための板状体７を噛合状態にある線条ファスナーエレメント列３の表面に配して付け合わせた後に、超音波溶接加工などにより溶着してスライドファスナーの下止め１６を形成したスライドファスナーの止部である。
【００２７】
請求項１１記載の発明は、通常タイプまたは隠しタイプのファスナーチェン１の表面側Ａに位置するファスナーテープ４にインクジェットによる各種の模様を現出し、または／およびファスナーテープ４に止水加工を施し、ファスナーテープ４の一側縁に合成樹脂製の線条ファスナーエレメント列３を装着し、ファスナーエレメント列３の末端側に位置する複数個のファスナーエレメント３にわたって、合成樹脂片５を付け合わせた後に溶着して止部１４を形成した請求項１記載の止部を具備したスライドファスナーである。
【００２８】
【発明の実施の形態】
以下、この発明のスライドファスナーの止部について、図面を参照しながら具体的に説明する。
【００２９】
この発明のスライドファスナーは、ポリアミド、ポリエステルなどの合成繊維のモノフィラメントをコイル状に捲回し、またはジグザグ状に屈曲して線条ファスナーエレメント列３を作製し、この線条ファスナーエレメント列３をファスナーテープの一側縁に縫糸８によって縫着し、または織り込み、あるいは編み込んで装着して、通常タイプのスライドファスナーまたは隠しタイプのスライドファスナーに仕上げる。コイル状またはジグザグ状の線条ファスナーエレメント３は、噛合頭部１０、上下脚部１１、連結部１２、噛合空間部１３から形成され、線条ファスナーエレメント列３の内部には芯紐９を挿通し介在させることにより、ファスナーエレメント列３のファスナーテープ４への装着およびファスナーエレメント３の噛合動作の安定化を図っている。
【００３０】
この発明は、上述のように形成された通常タイプのスライドファスナーまたは隠しタイプのスライドファスナーの双方に適用できる上止め１５、下止め１６の止部１４である。図１〜３に示す通常タイプのスライドファスナーにおける上止め１５の止部１４について説明すると、ファスナーテープ４の一側縁にコイル状の線条ファスナーエレメント列３内に芯紐９を挿通した機素を噛合頭部１０が側縁から突出する形で縫着してファスナーストリンガー２を作製する。このファスナーストリンガー２の末端側に存在する複数個のファスナーエレメント３の噛合頭部１０の裏側に形成されている噛合空間部１３に、ファスナーエレメント３と同種たとえばポリアミド、ポリエステルの熱可塑性樹脂または融点の低い樹脂を用いて、丸棒状の棒状体６に形成した合成樹脂片５を挿通し、棒状体６はファスナーエレメント３および芯紐９に囲まれた噛合空間部１３内へ保持させた状態で付け合わせる。
【００３１】
噛合空間部１３に付け合わされた棒状体６は、超音波溶接加工によって、ファスナーエレメント３および芯紐９に溶着される。したがってファスナーエレメント３の噛合頭部１０の裏側に存在する噛合空間部１３は、溶着した合成樹脂片５で閉鎖させることにより、噛合相手のファスナーエレメント３の噛合頭部１０が噛合空間部１３に挿入して噛合することができないので、ファスナーチェン１からスライダーが抜脱を防ぐための上止め１５としての止部の停止機能を果たすものである。
【００３２】
なお、合成樹脂片５の棒状体６は、コイル状のファスナーエレメント３内で溶着するため、ファスナーエレメント３の表面にバリが表出することがなく品質のよい上止め１５に仕上げることができる。また使用する棒状体６の大きさ形状は、適用するファスナーエレメント３の大きさ、さらに噛合空間部１３の形状によって適宜選択される。
【００３３】
図４〜６に示す止部１４は、隠しタイプのスライドファスナーの上止め１５であり、コイル状の線条ファスナーエレメント列３内に芯紐９を挿通した機素をファスナーテープ４の側縁側にファスナーエレメント３の連結部１２が位置する形で縫糸８によって脚部１１をファスナーテープ４に縫着し、このファスナーテープ４の内側に存在する縫糸８の近傍においてファスナーテープ４を折り返して噛合頭部１０が折返部１７から突出する形に形成して隠しタイプのファスナーストリンガー２を作製する。このファスナーストリンガー２における末端側に存在する複数個のファスナーエレメント３の噛合頭部１０の裏側に存在する噛合空間部１３に合成樹脂片５の棒状体６を挿通して付け合せる。
【００３４】
噛合空間部１３に付け合わされた棒状体６は、超音波溶接加工によって、ファスナーエレメント３および芯紐９に溶着される。したがって通常タイプのファスナーエレメント列３と同様に噛合頭部１０の裏側に存在する噛合空間部１３が合成樹脂片５によって閉鎖され、噛合相手のファスナーエレメント３の噛合頭部１０が噛合させることができないので、隠しタイプのスライドファスナーの上止め１５としての止部の停止機能を果たすものである。
【００３５】
特に隠しタイプのスライドファスナーにおけるファスナーエレメント列３はファスナーストリンガー２の裏側に存在するため、上止め１５も当然裏側に位置し、上止め１５にバリがあると直接首などの肌に触れる機会が多く、バリの発生を完全に防ぐ必要がある。その点この発明の上止め１５は、合成樹脂片５としての棒状体６がファスナーエレメント列３内に挿通され内部で溶着するから、ファスナーエレメント列３の表面にバリが生ずることがなく、品質のよい隠しスライドファスナーに仕上げることができる。また止部１４の外形状が変化しないため、隠しスライドファスナーを衣服などに縫製する際、ミシンフットガイドに当接するという弊害が発生しない。
【００３６】
図７、８に示す通常タイプのスライドファスナーにおける止部１４は、左右のファスナーテープ４の側縁に装着したコイル状のファスナーエレメント列３を噛合させたファスナーチェン１の状態で、ファスナーチェン１の末端側の複数個のファスナーエレメント３における噛合頭部１０の裏側に存在する噛合空間部１３に合成樹脂片５から形成した丸棒状の棒状体６を挿通し、かつ保持させて付け合わせ、付け合わせた後に超音波溶接加工によって、ファスナーエレメント３および芯紐９に溶着固定することにより、通常タイプのスライドファスナーの下止め１６としての止部１４が完成する。
【００３７】
図９に示す隠しタイプのスライドファスナーにおける止部１４は、左右のファスナーテープ４の折返部１７に装着したコイル状の線条ファスナーエレメント列３を噛合させたファスナーチェン１の状態で、ファスナーチェン１の末端側の複数個のファスナーエレメント３における噛合頭部１０の裏側に存在する噛合空間部１３に合成樹脂片５としての棒状体６を挿通し保持させて付け合わせた後に、超音波溶接加工によってファスナーエレメント３と芯紐９に溶着固定して、隠しタイプのスライドファスナーの下止め１６としての止部１４を完成させる。
【００３８】
図１０に示す隠しタイプのスライドファスナーの止部１４は、ファスナーストリンガー２におけるファスナーテープ４の折返部１７に装着したファスナーエレメント列３の噛合頭部１０の裏側に存在する噛合空間部１３に挿通し保持されて付け合わせた合成樹脂片５の棒状体６を超音波溶接加工によってファスナーエレメント列３および芯紐９に溶着させると同時に、ファスナーエレメント列３の噛合頭部１０を上下すなわち表裏から押圧し、棒状体６を圧潰して固定した上止め１５であり、ファスナーエレメント列３における止部１４の横幅を拡大してスライダーの停止機能を的確にしたものである。なお、このタイプの止部１４はファスナーチェン１の下止め１６にも応用することができ、また通常タイプのスライドファスナーにも適用できる。
【００３９】
以上、説明した各実施例のスライドファスナーの止部は、止部１４を構成する基材である合成樹脂片５として棒状体６を用いたが、以下に説明する各実施例のスライドファスナーの止部１４に用いる合成樹脂片５は、ポリアミド、ポリエステルの熱可塑性樹脂または融点の低い樹脂から成形したチューブを一辺で切り離して開拡し、湾曲状の板状体７に形成した合成樹脂片５を用いる。
【００４０】
図１１〜１３に示す通常タイプのスライドファスナーにおける上止め１５の止部１４は、ファスナーテープ４の一側縁にコイル状のファスナーエレメント列３内に芯紐９を挿通した機素を噛合頭部１０が側縁から突出する形で縫着してファスナーストリンガー２を作製する。このファスナーストリンガー２の末端側に存在する複数個のファスナーエレメント列３におけるファスナーテープ４上に現出している部分、すなわち噛合頭部１０、脚部１１、連結部１２を湾曲状の合成樹脂片５で包囲し被覆させた状態で付け合わせた後に、この合成樹脂片５を超音波溶接加工によって、ファスナーエレメント列３に溶着固定して、噛合相手のファスナーエレメント３の噛合頭部１０が噛合空間部１３に挿入して噛合することができない形に形成してスライダーの抜脱を防ぐ上止め１５に形成する。また合成樹脂片５の厚みを大きくすることにより、スライダーの案内柱に当接するようにして、スライダーの抜脱を防ぐ上止め１５を形成する。
【００４１】
図１４〜１６に示す隠しタイプのスライドファスナーにおける上止め１５の止部１４は、コイル状の線条ファスナーエレメント列３内に芯紐９を挿通した機素をファスナーテープ４の側縁側にファスナーエレメント３の連結部１２が位置する形で縫糸８によって脚部１１をファスナーテープ４に縫着し、このファスナーテープ４の内側に存在する縫糸８の近傍においてファスナーテープ４を折り返して噛合頭部１０が折返部１７から突出する形に形成して隠しタイプのファスナーストリンガー２を作製する。このファスナーストリンガー２における末端側に存在する複数個のファスナーエレメント列３における現出している噛合頭部１０、脚部１１、連結部１２を湾曲状の合成樹脂片５で包囲し被覆させた状態で付け合わせた後に、合成樹脂片５を超音波溶接加工によって、ファスナーエレメント列３に溶着固定して、噛合相手のファスナーエレメント３の噛合頭部１０が噛合空間部１３に挿入して噛合することができない形に形成して、スライダーの抜脱を防ぐ上止め１５に形成する。また合成樹脂片５の厚みを大きくすることにより、スライダーの案内柱に当接するようにして、スライダーの抜脱を防ぐ上止め１５を形成する。
【００４２】
図１７、１８に示す通常タイプのスライドファスナーにおける止部１４は、左右のファスナーテープ４の側縁に装着したコイル状のファスナーエレメント列３を噛合させたファスナーチェン１の状態で、ファスナーチェン１の末端側の複数個のファスナーエレメント３における現出している噛合頭部１０、脚部１１、連結部１２を湾曲状の合成樹脂片５で包囲し被覆させた状態で付け合わせた後に、合成樹脂片５を超音波溶接加工によって、ファスナーエレメント３に溶着固定することにより、通常タイプのスライドファスナーの下止め１６としての止部１４を完成する。
【００４３】
図１９、２０に示す隠しタイプのスライドファスナーにおける止部１４は、左右のファスナーテープ４の折返部１７に装着したコイル状のファスナーエレメント列３を噛合させたファスナーチェン１の状態で、ファスナーチェン１の末端側の複数個のファスナーエレメント３における現出している噛合頭部１０、脚部１１、連結部１２を湾曲状の合成樹脂片５で包囲し被覆させた状態で付け合わせた後に、合成樹脂片５を超音波溶接加工によって、ファスナーエレメント３に溶着固定して、隠しタイプのスライドファスナーの下止め１６としての止部１４を完成させる。
【００４４】
なお、この発明では、合成樹脂片５の棒状体６を線条ファスナーエレメント列３の噛合空間部１３に挿通して付け合わせ、また合成樹脂片５の板状体７を線条ファスナーエレメント列３の表面を被覆して付け合わせ、棒状体６、板状体７を併用し、しかる後に超音波溶接加工により棒状体６および板状体７を線条ファスナーエレメント列３に溶着して、堅牢な通常タイプのスライドファスナーおよび隠しタイプのスライドファスナーの上止め１５、下止め１６の止部１４に形成することもできる。
【００４５】
最後に図２１〜２５に示すスライドファスナーの実施例について説明すると、ここに示したスライドファスナーは通常タイプのスライドファスナーであって、ファスナーチェン１の表面側Ａに位置するファスナーテープ４に特殊加工であるインクジェットにより各種の模様、文字などを現出し、またはファスナーテープ４に止水加工を施し、ファスナーチェン１の裏面側Ｂに位置するファスナーテープ４に合成樹脂製のコイル状またはジグザグ状の線条ファスナーエレメント列３に芯紐９を添装して縫糸８により縫着することによってテープ縁部に取り付けてファスナーチェン１を完成する。
【００４６】
このファスナーチェン１は図２２、２３に示すように裏面側Ｂに配された噛合するファスナーエレメント列３における末端側に位置する複数個のファスナーエレメント３にわたって合成樹脂片５である棒状体６を双方のファスナーエレメント３の噛合頭部１０の裏側に存在する噛合空間部１３に挿通して付け合わせた後に、超音波溶接加工によって溶着固定して下止め１６の止部１４を作成する。このタイプの止部１４はファスナーストリンガー２の上部末端における上止め１５にも適用する。
【００４７】
図２４、２５に示すようにファスナーチェン１の裏面側Ｂに配される噛合するファスナーエレメント列３における末端側に存在する複数個のファスナーエレメント３における末端側に存在する複数個のファスナーエレメント３におけるファスナーテープ４上に現出している噛合頭部１０、脚部１１、連結部１２を湾曲する合成樹脂片５の板状体７で包囲し、被覆させた状態で付け合わせた後、この板状体７を超音波溶接加工によって、ファスナーエレメント列３に溶着固定して下止め１６の止部１４を作製する。このタイプの止部１４はファスナーストリンガー２の上部末端における上止め１５にも適用する。
【００４８】
以上の止部１４を備えたファスナーチェン１は表面側Ａのファスナーテープ４には止部１４の存在を示す形跡が現れないので、きわめて体裁のよいファスナーチェン１に仕上げることができる。なおファスナーテープ４に特殊加工を施すファスナーチェン１は、通常タイプのみでなく、隠しタイプのファスナーチェン１にも適用し、体裁のよい隠しスライドファスナーに仕上げることもできる。
【００４９】
【発明の効果】
この発明のスライドファスナーの止部は、以上説明したとおりの構成であり、この構成によって下記の効果を奏するものである。
【００５０】
この発明のうち請求項１記載の発明は、合成樹脂製の線条ファスナーエレメント列をファスナーテープの一側縁に装着し、ファスナーエレメント列の末端側に位置する複数個のファスナーエレメントにわたって合成樹脂片を付け合わせた後に溶着し、スライダー用の止部を形成したことによって、合成樹脂片を線条ファスナーエレメントに付け合わせた後に溶着するため、線条ファスナーエレメントに対し、合成樹脂片を所定の位置に的確に保持させることができ、しかも効率よく溶着させることができる効果がある。
【００５１】
請求項２および３記載の発明は、それぞれ請求項１記載の発明の効果に加え、合成樹脂片は棒状体、または湾曲状の板状体から形成したことによって、合成樹脂片を的確かつ簡易に付け合わせることができ、しかも合成樹脂片の作製が容易に行える効果がある。
【００５２】
請求項４記載の発明は、請求項１または２記載の発明の効果に加え、棒状体を線条ファスナーエレメントにおける噛合頭部の裏側に位置する噛合空間部に挿入し溶着したことによって、線条ファスナーエレメントの表面にバリが発生することを抑制し、品質のよい止部に形成することができる効果がある。
【００５３】
請求項５記載の発明は、請求項４記載の発明の効果に加え、棒状体を線条ファスナーエレメントの噛合頭部とともに、表裏方向から圧潰して溶着したことによって、線条ファスナーエレメント列の末端でより確実にスライダーを停止させ、抜脱することがない止部に形成することができる効果がある。
【００５４】
請求項６記載の発明は、請求項１または３記載の発明の効果に加え、板状体を線条ファスナーエレメントにおける噛合頭部、脚部、連結部の表面を被覆し溶着したことによって、線条ファスナーエレメントの表面にバリが発生することを抑制でき、品質のよい止部に形成することができる効果がある。
【００５５】
請求項７記載の発明は、請求項１、２または４記載の発明の効果に加え、棒状体を隔離状態の線条ファスナーエレメント列の内部に配し、溶着して上止めを形成したことによって、ファスナーエレメントが隔離した状態のファスナーストリンガーに簡単に棒状体を採択利用し、容易に上止めを作製できる効果がある。
【００５６】
請求項８記載の発明は、請求項１、３または６記載の発明の効果に加え、板状体を隔離状態の線条ファスナーエレメント列の表面に配し、溶着して上止めを形成したことによって、ファスナーエレメントが隔離した状態のファスナーストリンガーに簡単に板状体を採択利用し、容易に上止めを作製できる効果がある。
【００５７】
請求項９記載の発明は、請求項１、２または４記載の発明の効果に加え、棒状体を噛合状態の線条ファスナーエレメント列の内部に配し、溶着して下止めを形成したことによって、ファスナーエレメントが噛合した状態のファスナーチェンに簡単に棒状体を採択利用し、容易に下止めを作製できる効果がある。
【００５８】
請求項１０記載の発明は、請求項１、３または６記載の発明の効果に加え、板状体を噛合状態の線条ファスナーエレメント列の表面に配し、溶着して下止めを形成したことによって、ファスナーエレメントが噛合した状態のファスナーチェンに簡単に板状体を採択利用し、容易に下止めを作製できる効果がある。
【００５９】
請求項１１記載の発明は、請求項１記載の止部を備えたスライドファスナーは、ファスナーチェンにおけるファスナーテープ上に特殊加工、すなわちインクジェットによる模様付け、または止水加工を施したファスナーテープを止部の装着による損傷を防ぎ、きわめて美しい体裁のよいスライドファスナーに仕上げることができる効果があるなど、この発明が奏する効果はきわめて顕著である。
【図面の簡単な説明】
【図１】通常タイプのスライドファスナーに棒状体を用いた上止めの斜視図である。
【図２】同上の上止めの正面図である。
【図３】同上の上止めのＡ−Ａ線断面図である。
【図４】隠しタイプのスライドファスナーに棒状体を用いた上止めの斜視図である。
【図５】同上の上止めの正面図である。
【図６】同上の上止めのＢ−Ｂ線断面図である。
【図７】通常タイプのスライドファスナーに棒状体を用いた下止めの正面図である。
【図８】同上の下止のＣ−Ｃ線断面図である。
【図９】隠しタイプのスライドファスナーに棒状体を用いた下止めの断面図である。
【図１０】隠しタイプのスライドファスナーにおける圧潰した上止めの断面図である。
【図１１】通常タイプのスライドファスナーに板状体を用いた上止めの斜視図である。
【図１２】同上の上止めの正面図である。
【図１３】同上の上止めのＤ−Ｄ線断面図である。
【図１４】隠しタイプのスライドファスナーに板状体を用いた上止めの斜視図である。
【図１５】同上の上止めの正面図である。
【図１６】同上の上止めのＥ−　Ｅ線断面図である。
【図１７】通常タイプのスライドファスナーに板状体を用いた下止めの正面図である。
【図１８】同上の下止めのＦ−　Ｆ線断面図である。
【図１９】隠しタイプのスライドファスナーに板状体を用いた下止めの正面図である。
【図２０】同上の下止めのＧ−Ｇ線断面図である。
【図２１】表面にインクジェットによる模様付けをしたファスナーチェンの正面図である。
【図２２】同上のファスナーチェンの裏面に棒状体から形成した止部の正面図である。
【図２３】同上のファスナーチェンのＨ−Ｈ線断面図である。
【図２４】図２１に示したファスナーチェンの裏面に板状体から形成した止部の正面図である。
【図２５】同上のファスナーチェンのＩ−Ｉ線断面図である。
【図２６】公知の下止めの断面図である。
【図２７】公知の上止めの断面図である。
【図２８】他の公知の下止めの斜視図である。
【符号の説明】
１　　　　　　ファスナーチェン
３　　　　　　ファスナーエレメント（列）
４　　　　　　ファスナーテープ
５　　　　　　合成樹脂片
６　　　　　　棒状体
７　　　　　　板状体
１０　　　　　　噛合頭部
１１　　　　　　脚部
１２　　　　　　連結部
１３　　　　　　噛合空間部
１４　　　　　　止部
１５　　　　　　上止め
１６　　　　　　下止め
２０　　　　　　模様
【図１】
2004016689.tif 000003
【図２】
2004016689.tif 000004
【図３】
2004016689.tif 000005
【図４】
2004016689.tif 000006
【図５】
2004016689.tif 000007
【図６】
2004016689.tif 000008
【図７】
2004016689.tif 000009
【図８】
2004016689.tif 000010
【図９】
2004016689.tif 000011
【図１０】
2004016689.tif 000012
【図１１】
2004016689.tif 000013
【図１２】
2004016689.tif 000014
【図１３】
2004016689.tif 000015
【図１４】
2004016689.tif 000016
【図１５】
2004016689.tif 000017
【図１６】
2004016689.tif 000018
【図１７】
2004016689.tif 000019
【図１８】
2004016689.tif 000020
【図１９】
2004016689.tif 000021
【図２０】
2004016689.tif 000022
【図２１】
2004016689.tif 000023
【図２２】
2004016689.tif 000024
【図２３】
2004016689.tif 000025
【図２４】
2004016689.tif 000026
【図２５】
2004016689.tif 000027
【図２６】
2004016689.tif 000028
【図２７】
2004016689.tif 000029
【図２８】
2004016689.tif 000030